(57)【特許請求の範囲】
【請求項１】
長尺帯状の金属製外囲板（２）（４４）を下地材（４）などの支持面上に複数並列に配置し、前記外囲板（２）（４４）の互いに隣接する側部を立ち上がり部（２ｃ）（２ｇ）（４４ｆ）（４４ｇ）（４４ｂ）と該立ち上がり部の上部に下向き屈折部（３）（５０）が形成されるように接合し、前記下向き屈折部（３）（５０）に、上部が開放されたＵ字状の嵌合部（１８ａ）と該嵌合部（１８ａ）の側方に形成され平板部を有する取付部（１８ｂ）とを備えた取付金具（１８）の嵌合部（１８ａ）を嵌合し、前記取付金具（１８）の取付部（１８ｂ）の平板部に、前記外囲板（２）（４４）の立ち上がり部（２ｃ）（２ｇ）（４４ｆ）（４４ｇ）（４４ｂ）上にこれらに対して直角に載置された長尺状の架台（１４）（３８）の長尺帯板状の基部（１４ａ）を載置し、前記基部（１４ａ）にボルト挿入穴を設け、前記取付金具（１８）の平板部にねじ穴（２０）を設け、前記ボルト挿入穴にボルト（２２）を挿入し、該ボルト（２２）を前記ねじ穴（２０）にねじ込み、前記取付金具（１８）の取付部（１８ｂ）の平板部に、前記架台（１４）（３８）を脱着可能にねじ止めし、前記架台（１４）（３８）にパネル状構造物を取り付けるようにしたことを特徴とする外囲体における架台取付装置。
【発明の詳細な説明】
【０００１】
【発明の属する技術分野】
本発明は、屋根や外壁として用いられる外囲体において、太陽電池モジュールパネルなどのパネル状構造物保持用の架台を外囲板に取り付ける装置に関する。
【０００２】
【従来の技術】
飾り板やソーラーパネル（太陽電池モジュールパネル）などのパネル状構造物を外囲板に取り付けた屋根や外壁が従来知られている。これらのパネル状構造物は、直接ビスなどの止着具によって外囲板に固定されるか、あるいは、外囲板側に、パネル状構造物を支持するための架台を取り付けている。
【０００３】
【発明が解決しようとする課題】
パネル状構造物を外囲板に直接ビス止めすると、パネル状構造物を安定的に外囲面に保持させることができないという問題点があった。
また、外囲板側にパネル状構造物用の架台を取り付ける場合、その作業が複雑であり、また、架台の取り付けに溶接などの作業を伴う場合があり、簡単に、外囲板に化粧板、ソーラーパネルなどのパネル状構造物を取り付けることができないという問題点があった。
本発明は、上記問題点を解決することを目的とするものである。
【０００４】
【課題を解決するための手段】
上記目的を達成するため、本発明は、長尺帯状の金属製外囲板（２）（４４）を下地材（４）などの支持面上に複数並列に配置し、前記外囲板（２）（４４）の互いに隣接する側部を立ち上がり部（２ｃ）（２ｇ）（４４ｆ）（４４ｇ）（４４ｂ）と該立ち上がり部の上部に下向き屈折部（３）（５０）が形成されるように接合し、前記下向き屈折部（３）（５０）に、上部が開放されたＵ字状の嵌合部（１８ａ）と該嵌合部（１８ａ）の側方に形成され平板部を有する取付部（１８ｂ）とを備えた取付金具（１８）の嵌合部（１８ａ）を嵌合し、前記取付金具（１８）の取付部（１８ｂ）の平板部に、前記外囲板（２）（４４）の立ち上がり部（２ｃ）（２ｇ）（４４ｆ）（４４ｇ）（４４ｂ）上にこれらに対して直角に載置された長尺状の架台（１４）（３８）の長尺帯板状の基部（１４ａ）を載置し、前記基部（１４ａ）にボルト挿入穴を設け、前記取付金具（１８）の平板部にねじ穴（２０）を設け、前記ボルト挿入穴にボルト（２２）を挿入し、該ボルト（２２）を前記ねじ穴（２０）にねじ込み、前記取付金具（１８）の取付部（１８ｂ）の平板部に、前記架台（１４）（３８）を脱着可能にねじ止めし、前記架台（１４）（３８）にパネル状構造物を取り付けるようにしたものである。
【０００５】
【発明の実施の形態】
以下に本発明の実施の形態を添付した図面を参照して詳細に説明する。
図１において、（２）は屋根や外壁板として用いられる外囲板であり、ステンレスなどの横幅約４０センチメートルの長尺帯状の金属板により構成されている。
外囲板（２）の平板部（２ａ）の一側には、図５に示すように、略４５度の傾斜部分（２ｂ）を介して、平板部（２ａ）に対して直角な高さ約５センチメートルの立ち上り部（２ｃ）が外囲板（２）の全長にわたって形成されている。
【０００６】
この立ち上り部（２ｃ）の上端には、該立ち上り部（２ｃ）に対して外側に９０度屈折した略２センチメートル幅の上位水平部（２ｄ）が一体的に外囲板（２）の全長にわたって形成されている。前記上位水平部（２ｄ）の側端には、この上位水平部（２ｄ）に対して、下向きに略６０度傾斜した傾斜部（２ｅ）が一体的に形成され、該傾斜部（２ｅ）の下端には、Ｕ字状に内側に屈曲された引掛部（２ｆ）が一体的に形成されている。
【０００７】
外囲板（２）の他方の側部には、二重構造の立ち上り部（２ｇ）が前記立ち上り部（２ｃ）よりも約１ミリメートル低い高さで前記平板部（２ａ）に対して直角に形成されている。該立ち上り部（２ｇ）の上端には、該立ち上り部（２ｇ）に対して内側に９０度屈折した二重構造の上位水平部（２ｈ）が一体的に外囲板（２）の全長にわたって形成されている。前記上位水平部（２ｈ）の横幅は、一方の上位水平部（２ｄ）の横幅よりも若干（約３ミリメートル）短く設定されている。
【０００８】
前記立ち上り部（２ｇ）の内側部分（２ｇ１）の下部には、前記傾斜部分（８ｂ）と対称的に傾斜部分（２ｂ）が形成されている。前記上位水平部（２ｈ）の側端には、この上位水平部（２ｈ）に対して下向きに略６０度傾斜した二重構造の傾斜部（２ｉ）が形成され、該傾斜部（２ｉ）の開放側端部において、外囲板（２）が３６０度折り返されている。
【０００９】
前記傾斜部（２ｅ）（２ｉ）の上位水平部（２ｄ）（２ｈ）に対する傾斜角度は、９０度を超えない範囲で任意の値を選択することができる。
前記立ち上り部（２ｇ）の外側部分（２ｇ２）の下端には、これに対して外側に９０度屈折され、前記平板部（２ａ）と同一延長平面上に位置する取付平板部（２ｊ）が一体的に形成されている。
上記実施形態では、一枚の金属板を屈折、屈曲して立ち上り部（２ｃ）（２ｇ）、上位水平部（２ｄ）（２ｈ）、傾斜部（２ｅ）（２ｊ）、引掛部（２ｆ）を形成しているが、アルミニウムなどを成型してこれらの形状を一体形成するようにしても良い。
【００１０】
次に、複数の外囲板を屋根の下地材上で、順次接合する動作について図６を参照して説明する。
Ｃ型鋼などの母屋（６）に支承された屋根などの下地材（４）上に、これに敷設されたアスファルトルーフィングなどの防水シート（８）の上から外囲板（２）を載置し、取付平板部（２ｊ）を、ビスなどの止着具（１０）によって、下地材（４）に固定する。次に、接合すべき他の外囲板（２）を、下地材（４）に固定された外囲板（２）の隣に配置し、その平板部（２ａ）を傾かせた状態で引掛部（２ｆ）を、固定側外囲板（２）の傾斜部（２ｉ）に引掛ける（図６Ａ参照）。
【００１１】
引掛部（２ｆ）を、固定側外囲板（２）の傾斜部（２ｉ）に引掛けた状態で、フリー側の外囲板（２）を、その平板部（２ａ）が、下地材（４）に接近する方向に回動し、フリー側外囲板（２）を、その平板部（２ａ）が下地材（４）の上面に載置するまで下降すると、フリー側の外囲板（２）の傾斜部（２ｅ）、上位水平部（２ｄ）及び立ち上り部（２ｃ）は、それぞれ、対応する固定側外囲板（２）の、傾斜部（２ｉ）、上位水平部（２ｈ）及び立ち上り部（２ｇ）に接合する（図６Ｂ参照）。
【００１２】
上記の動作によって、複数の外囲板（２）を、下地材（４）上に順次接合することができる。一対の外囲板（２）（２）の接合部分（１２）は、傾斜部（２ｉ）と引掛部（２ｆ）が係合しているため、互いに強固に結合する。引掛部（２ｆ）のＵ字状のわん曲部分は、接合部分からの雨水の浸入を防ぐ。上記傾斜部（２ｉ）（２ｅ）及び引掛部（２ｆ）の接合部分は、下向き屈折部（３）を形成している。
【００１３】
次に、外囲板に、太陽電池モジュールパネルなどの構造物を取り付ける実施の形態について説明する。
図１において、（１４）はアルミニウム製の架台であり、図２Ｂに示すように、両側に太陽電池モジュールパネル（１６）を載置するための載置部（１４ｆ）（１４ｇ）が形成された、長尺帯板状の基部（１４ａ）と、該基部に対して垂直に立設された一対の側板部（１４ｂ）（１４ｃ）と、側板部（１４ｂ）（１４ｃ）の上端に、所定幅の空間を介して互いに向き合う方向に直角に形成された係止部（１４ｄ）（１４ｅ）とから構成されている。
【００１４】
架台（１４）は、複数前記接合部分（１２）上にこれに対して直角方向に所定間隔を存して並列に配置される(図３Ａ参照)。（１８）は鋼板などの金属から成る取付金具であり、上部が開放されたＵ字状の嵌合部（１８ａ）とコ字状の取り付け部（１８ｂ）とから構成され、取り付け部（１８ｂ）の平板部分には、ボルト用のねじ穴（２０）が穿設されている。
【００１５】
前記取付金具（１８）は、その嵌合部（１８ａ）が、図１に示すように、外囲板（２）（２）の傾斜部（２ｅ）（８ｉ）が合接する部分である下向き屈折部（３）に嵌合され、取り付け部（１８ｂ）の平板部分が対応する架台（１４）の下面に対向配置される。該状態において図４Ａに示すように、架台（１４）の基部（１４ａ）に穿設されたボルト挿入穴から六角ボルト（２２）が挿入され、該六角ボルト（２２）は、六角ソケット（２４）を用いて、取付金具（１８）のねじ穴（２０）にきつくねじ込まれる。
【００１６】
図４において、取付金具（１８）の取付部（１８ｂ）の平板部分（１８ｂ’）に形成されたねじ穴（１９）と、架台（１４）の基部（１４ａ）に穿設されたボルト挿入穴（１５）と、該ボルト挿入穴（１５）に挿入され、六角ソケット（２４）によって前記ねじ穴（１９）にねじ込まれる六角ボルト（２２）は、取付部（１８ｂ）に架台（１４）を取り付け可能にねじ止めしている。
これによって、架台（１４）は、取付金具（１８）を介して、外囲板（２）の接合部分（１２）に取り付けられ、架台（１４）の長手方向に沿ったずれが阻止される。架台（１４）の所要の他の部分及び他の架台（１４）も同様な構成で、取付金具（１８）を介して、外囲板（２）の接合部分（１２）に取り付けられる。
【００１７】
次に、架台（１４）（１４）間に太陽電池モジュールパネル（１６）を配置し、その両側面を対応する架台（１４）（１４）の側板部（１４ｂ）（１４ｃ）に当接するとともに、太陽電池モジュールパネル（１６）両側縁部を架台（１４）（１４）の対応する載置部（１４ｆ）（１４ｇ）に載置する。次に、モジュール間カバー（２８）を、隣接する太陽電池モジュールパネル（１６）（１６）間の対向隙間に配置し、カバー（２８）の平板部の両側に直角に突設された係合凸部（２８ａ）（２８ｂ）を隣接する太陽電池モジュールパネル（１６）（１６）の側部に形成された係合溝（３０）に係合させる。
【００１８】
モジュール間カバー（２８）は、対応する架台（１４）と略同じ長さを有し、図７に示すように、外囲板（２）上に配列された複数の太陽電池モジュールパネル（16）の対向隙間の全長をカバーするように構成されている。モジュール間カバー（２８）の平板部の適所にはボルト挿入穴が穿設されている。このボルト挿入穴には図３Ｃに示すように、予めボルト（３２）が挿入され、このボルト（３２）に、一方向に長い板ナット（２６）がねじ込まれている。
【００１９】
ボルト（３２）のねじ部には、図１に示すように、コイルスプリング（３４）が圧縮嵌挿配置され、このコイルスプリング（３４）の弾発力によって、ボルト（３２）の頭部がカバー（２８）の上面に弾接している。板ナット（２６）は係止部（１４ｄ）（１４ｅ）間の間隔よりも若干長い長手方向幅と、係止部（１４ｄ）（１４ｅ）間の間隔よりも短い短手方向幅を有している。板ナット（２６）は、架台(１４)内で回転され、長手方向の両端が係止部（１４ｄ）（１４ｅ）の下面に係合する。
【００２０】
該状態において、六角ソケット（２４）を用いて、ボルト（３２）が板ナット（２６）にねじ込まれ、このボルト（３２）の締付力によって、カバー（２８）の係合凸部（２８ａ）（２８ｂ）は、太陽電池モジュールパネル（１６）の溝（３０）に圧着する(図３Ｄ参照)。他の太陽電池モジュールパネル（１６）が隣接配置されていない太陽電池モジュールパネル（１６）の開放された側面をカバーする場合には、モジュール側面カバー（３６）が図４Ｃに示すように使用される。
【００２１】
モジュール側面カバー（３６）の平板部の一方には、図２Ｄに示すように、係合凸部（２８ａ）が形成され、他方には、架台（１４）の係止部（１４ｅ）に係合するための係合凹部（３６ｂ）が形成されている。モジュール側面カバー（３６）の取付方法は、モジュール間カバー（２８）の上記した取付方法と略同一である。
本発明の実施に際し、架台の構造は特に図２Ｂに示されるものに限定されるものではなく、例えば、図９に示すように、架台（３８）の側板部（３８ａ）（３８ｂ）の上端に載置平板部（３８ｃ）（３８ｄ）を設け、該載置平板部（３８ｃ）（３８ｄ）に、図８に示すように、飾りパネル（４０）をビス止めするようにしても良い。
【００２２】
尚、図８において、取付金具（１８）と架台（３８）との取り付け構造は、図１に示す実施形態と同一である。
即ち、図８，９において、取付金具（１８）の取付部（１８ｂ）の平板部分（１８ｂ’）に形成されたねじ穴（１９）と、架台（３８）の基部（３８ｅ）に穿設されたボルト挿入穴（１５）と、該ボルト挿入穴（１５）に挿入され、六角ソケット（２４）によって前記ねじ穴（１９）にねじ込まれる六角ボルト（２２）は、取付部（１８ｂ）に架台（３８）を取り付け可能にねじ止めしている。  次に本発明の他の実施形態について、図１０及び図１１を参照して説明する。図１０において、（６）は、Ｃ型鋼から成る母屋であり、これに、発泡断熱材（４２）が充填固着された紙面垂直方向に延びる長尺帯状の鋼板などの金属板からなる外囲板（４４）が複数並列に配置されている。
【００２３】
各外囲板（４４）の平板部（４４ａ）の一側には、平板部（４４ａ）に対して直角な立ち上り部（４４ｂ）が外囲板（４４）の全長にわたって形成されている。
この立ち上り部（４４ｂ）の上端には、該立ち上り部（４４ｂ）に対して外側に９０度屈折した上位水平部（４４ｃ）が一体的に外囲板（４４）の全長にわたって形成されている。前記上位水平部（４４ｃ）の側端には、この上位水平部（４４ｃ）に対して、下向きに略６０度傾斜した傾斜部（４４ｄ）が一体的に形成され、該傾斜部（４４ｄ）の下端には、Ｕ字状に内側に屈曲された引掛部（４４ｅ）が一体的に形成されている。
【００２４】
平板部（４４ａ）の他側には、一対の立ち上がり部（４４ｆ）（４４ｇ）と上位水平部（４４ｉ）とから成る凸部（４４ｈ）が形成され、該凸部（４４ｈ）の上位水平部（４４ｉ）の側方に二重構造の上位水平部（４４ｊ）が形成され、該上位水平部（４４ｊ）一端には、二重構造の傾斜部（４４ｋ）が一体的に形成されている。
【００２５】
立ち上がり部（４４ｇ）の下端には、平板部（４４ａ）と同一平面上に位置して、取付平板部（４４ｍ）が一体的に形成されている。前記平板部（４４ａ）の、両立ち上がり部（４４ｂ）（４４ｆ）間には、前記凸部（４４ｈ）と略同一高さの凸部（４４ｎ）が適宜の間隔を存して並列状に複数形成されている。
【００２６】
外囲板（１８）は複数、母屋（６）上に並列に配置され、各外囲板（４４）の取付平板部（４４ｍ）は、母屋（６）にビス（４６）により固定されている。更に、各外囲板（４４）の立ち上がり部（４４ｂ）と上位水平部（４４ｃ）が隣接対応する外囲板（４４）の凸部（４４ｈ）に遊嵌し、引掛部（４４ｅ）が、隣接する外囲板（４４）の傾斜部（４４ｋ）に係合している。
【００２７】
隣接する外囲板（４４）（４４）の接合部分（４８）に形成された下向き屈折部（５０）には、取付金具（１８）の嵌合部（１８ａ）が嵌合し、外囲板（４４）の凸部（４４ｎ）（４４ｈ）上に、該凸部（４４ｎ）（４４ｈ）に対して直角に載置された架台（１４）がボルト（２２）によって、取付金具（１８）の取付部（１８ｂ）に固定されている。架台（１４）には、図３及び図４に示す構造と同一の構造で太陽電池モジュールパネル（１６）が取り付けられている。図１０において、取付金具（１８）の取付部（１８ｂ）の平板部分（１８ｂ’）に形成されたねじ穴（１９）と、架台（１４）の基部（１４ａ）に穿設されたボルト挿入穴（１５）と、該ボルト挿入穴（１５）に挿入され、六角ソケット（２４）によって前記ねじ穴（１９）にねじ込まれる六角ボルト（２２）は、取付部（１８ｂ）に架台（１４）を取り付け可能にねじ止めしている。
【００２８】
【発明の効果】
本発明は上述の如く、外囲板の立ち上がり接合部分の下向き屈折部に簡単に長尺状の架台を取り付けることができるので、外囲板へのパネル状構造物の取付作業を能率的に行うことができる。
【図面の簡単な説明】
【図１】本発明である外囲体の断面図である。
【図２】外囲板の接合動作の説明図架台取り付け装置の構成部品図である。
【図３】架台取付装置の組み立て説明図である。
【図４】架台取付装置の組み立て説明図である。
【図５】外囲板の外観図である。
【図６】外囲板の接合説明図である。
【図７】建物の屋根に太陽電池モジュールパネルを取り付けた状態の外観図である。
【図８】本発明の他の実施形態を示す断面図である。
【図９】架台の他の実施形態を示す外観図である。
【図１０】本発明の他の実施形態を示す断面図である。
【図１１】外囲板の他の実施形態を示す外観図である。
【符号の説明】
２        外囲板
２ａ      平板部
２ｂ      傾斜部
２ｃ      立ち上り部
４        下地材
６        吊子
８        外囲板
８ａ      平板部
８ｂ      傾斜部分
８ｃ      立ち上り部
８ｄ      上位水平部
８ｅ      傾斜部
８ｆ      引掛部
８ｇ      立ち上り部
８ｈ      上位水平部
８ｇ１    内側部分
８ｇ２    外側部分
８ｉ      傾斜部
８ｊ      取付平板部
１０      凹溝
１２      防水シート
１４      取付金具
１６      スライド部材
１６ａ    平板受部
１６ｂ    スライド係合部
１６ｃ    垂下部
１６ｄ    規制部
１８      押え部
２０      押え部
２２      ボルト
２４      ボルト穴
２６      ボルト穴
２８      構造物
３０      ナット
【図１】
0004229407.tif 000002
【図２】
0004229407.tif 000003
【図３】
0004229407.tif 000004
【図４】
0004229407.tif 000005
【図５】
0004229407.tif 000006
【図６】
0004229407.tif 000007
【図７】
0004229407.tif 000008
【図８】
0004229407.tif 000009
【図９】
0004229407.tif 000010
【図１０】
0004229407.tif 000011
【図１１】
0004229407.tif 000012